(57)【特許請求の範囲】
【請求項１】
熱源によって生成される熱を除去する熱管理システムであって、
前記熱源から離れて配されているヒートシンクと、
前記熱源と前記ヒートシンクとの間の熱連通を提供する熱伝導部材と、
共振器キャビティハウジング及び振動部材を有する合成ジェットアクチュエータと、
を有する熱管理システムにおいて、前記振動器部材は、前記共振器キャビティハウジング内部で少なくとも部分的に配されていると共に、更に、空気の流れを生成するように配され、前記共振器キャビティハウジング内に配されている第１のオリフィスは、生成される前記空気の流れの少なくとも副次的部分を前記熱源に向かって指向するように配されており、
前記共振器キャビティハウジングは、前記熱伝導部材を囲むように同軸で配されているパイプ共鳴管である、熱管理システム。
【請求項２】
前記熱伝導部材は熱パイプであることを特徴とする、請求項１に記載の熱管理システム。
【請求項３】
前記ヒートシンクに向かって指向されている第２のオリフィスが、生成される前記空気の流れの副次的部分を前記ヒートシンクに向かって指向するように前記共振器キャビティハウジング内に配されている、請求項１又は２に記載の熱管理システム。
【請求項４】
前記熱源及び前記ヒートシンクに向かって指向される前記空気の流れの前記副次的部分が、それぞれ音響位相にあるように、前記合成ジェットアクチュエータが配されている、請求項３に記載の熱管理システム。
【請求項５】
前記熱源及び前記ヒートシンクに向かって指向される前記空気の流れの前記副次的部分が、それぞれ音響反位相にあるように、前記合成ジェットアクチュエータが配されている、請求項３に記載の熱管理システム。
【請求項６】
前記熱伝導部材が可撓性である、請求項１乃至５の何れか一項に記載の熱管理システム。
【請求項７】
前記パイプ共鳴管が可撓性である、請求項１乃至６の何れか一項に記載の熱管理システム。
【請求項８】
前記熱源が照明器具である、請求項１乃至７の何れか一項に記載の熱管理システム。
【請求項９】
照明ユニットと、
前記照明ユニットから離れて配されているヒートシンクと、
前記照明ユニットと前記ヒートシンクとの間の熱連通を提供するように配されている熱伝導部材と、共振器キャビティハウジング、及び空気の流れを生成するように少なくとも部分的に前記共振器キャビティハウジング内に配されている振動部材を有する合成ジェットアクチュエータとを有する熱輸送部材であって、第１のオリフィスが、少なくとも、生成された前記気流の副次的部分を、前記照明ユニットに向かって指向するように前記共振器キャビティハウジング内に配されている、熱輸送部材と、
を有し、
前記共振器キャビティハウジングは、前記熱伝導部材を囲むように同軸で配されているパイプ共鳴管である照明器具装置。
【請求項１０】
前記熱伝導部材は熱パイプであり、前記共振器キャビティハウジングは、前記熱パイプを囲むように同軸で配されているパイプ共鳴管である、請求項９に記載の照明器具装置。
【請求項１１】
前記熱伝導部材及び前記パイプ共鳴管が可撓性である、請求項９又は１０に記載の照明器具装置。
【請求項１２】
前記照明ユニットは、回転可能に配されている、請求項１１に記載の照明器具装置。
【請求項１３】
前記照明ユニットからの照明の方向を調整する作動装置を更に有する、請求項１１又は１２に記載の照明器具装置。
【請求項１４】
第２のオリフィスは、少なくとも、前記空気の流れの副次的部分を前記ヒートシンクに向かって指向するように、前記共振器キャビティハウジング内に配されている、請求項９乃至１３の何れか一項に記載の照明器具装置。
【発明の詳細な説明】
【技術分野】
【０００１】
本発明は、熱管理システムに関し、より詳細には、熱伝導部材と合成ジェットアクチュエータとの組み合わせによって遠隔冷却を提供するための熱管理システムに関する。
【背景技術】
【０００２】
従来より、熱管理システムは、典型的には、単独で又はヒートシンクと組み合わせた強制的な対流冷却に基づいている。初期の従来技術は、当該システム内に含まれている部分、機械的に複雑な構造又は移動部分等の嵩張りのような問題を被っている。より最近は、合成ジェットアクチュエータ及び熱パイプによる冷却を利用している熱管理システムが、様々な種類の熱源に関して一般的になっている。
【０００３】
合成ジェットアクチュエータは、本体の上の空気の流れに影響を与えるように合成ジェットを利用している。典型的には、合成ジェットアクチュエータは、共振器キャビティを規定しているハウジングを有する。オリフィスは、ハウジングの壁内に設けられている。この合成ジェットは、合成ジェットストリーム、即ち前記ハウジングのオリフィスから外へ外部環境において射出される振動気流を周期的に生成するための前記共振器キャビティハウジング内に又は前記共振器キャビティハウジングの周りに配されている振動部材を、更に有する。前記振動部材は、前記ハウジングの壁としてのスピーカ、可動ピストン又は可撓性ダイアフラムであり得る。前記可撓性ダイアフラムは、典型的には、圧電性アクチュエータ又は他の適切な手段によって作動される。この気流は、前記オリフィスによって決定される特定の位置において非常に効率的な冷却を提供する。
【０００４】
熱パイプは、一般に、作動流体及びハウジングを有する真空気密装置である。この熱パイプは、前記ハウジングの冷却凝縮器の部分と前記ハウジングの暖熱蒸発器の部分との間の温度差によって駆動される二相変化過程によって働く。前記熱パイプのハウジングの暖熱蒸発器の部分における熱入力は、液体作動流体を蒸発させる。この蒸気は、次いで、前記ハウジングの冷却凝縮器の部分に向かって流れ、前記蒸気は凝縮し、そして、前記蒸気内に担持されている気化潜熱は、自身の潜熱を放出する（give up）。この凝縮液体は、毛管作用若しくは重力又はこれらの組み合わせによって、前記ハウジングの蒸発器の部分に戻る。
【発明の概要】
【発明が解決しようとする課題】
【０００５】
熱管理システムの熱パイプ及び合成ジェットアクチュエータを組み合わせることが、知られている。米国特許出願公開第２００７／０１２７２１０Ａ１号は、熱パイプを介して、遠隔的に配されている熱交換器に熱的に接続されている複数の熱源を有する熱管理システムを開示している。この熱交換器は、流体の流れに晒される複数の熱フィンを有しており、前記熱交換器を通る流体の流れが、合成ジェットアクチュエータによって増大される。
【０００６】
製造、取付け及び動作における当該システムの複雑でない取付け、効率的な熱輸送、嵩張り及び複雑さの度合いに更に対処している熱管理システムを提供するのが望ましい。
【０００７】
本発明の概念の目的は、熱源の熱管理のための代替的な及び改良されたシステムを提供することにある。更に、本発明の概念による熱管理を利用している照明器具装置を提供することも目的である。
【課題を解決するための手段】
【０００８】
この目的は、添付の請求項１に記載の本発明による熱管理システムによって達成される。更に、この目的は、添付の請求項１０に規定されている本発明による対応する熱管理を備えている照明器具装置によって達成される。
【０００９】
この本発明は、熱源の熱管理が、組み合わせられた熱導体及び気流冷却構造によって効率的に提供され、ヒートシンクの遠隔設置を可能にし、前記ヒートシンクは、更に、非常に効率的な冷却構造のため、従来のヒートシンクの解決策と比較して、大きさが縮小されることができるという洞察に基づいている。
【００１０】
従って、本発明の見地によれば、熱管理システムは、熱源によって生成される熱を除去するために提供される。当該システムは、前記熱源から離れて配されるヒートシンクと、前記熱源と前記ヒートシンクとの間の熱連通を提供するように配される熱伝導部材と、合成ジェットアクチュエータとを有している。前記合成ジェットアクチュエータは、共振器キャビティハウジングと、少なくとも部分的に前記共振器キャビティハウジング内部に配されている振動部材とを有している。前記振動部材は、更に、空気の流れを生成する。第１のオリフィスは、生成された前記空気の流れの少なくとも副次的部分を前記熱源に向かって指向するための共振器キャビティハウジング内に配されている。
【００１１】
従って、離れて配される前記ヒートシンクを有する熱管理システムであって、自然な対流冷却と比較して、アクティブな仕方において前記熱源を冷却するように配されている熱伝導部材及び合成ジェットアクチュエータを組み合わせることによって冷却される熱管理システムが、提供される。このことは、高い出力熱源のための前記ヒートシンクはしばしば大きく、前記熱源システム自体及び建物等における周囲の環境のための設計の自由度を制限しているので、有利である。
【００１２】
更に、熱伝導部材と、前記熱源及び／又はヒートシンクに向かって空気の流れを生成する合成ジェットアクチュエータとの組み合わせによる冷却は、高い出力熱源の場合であっても熱を除去する非常に効率的なシステムを提供する。従って、当該システムのヒートシンクは、従来技術の解決策と比較して、大きさが縮小されることができる。更に、当該システムは、機械的な複雑が小さく、従来の配管等と比較して、スペースをとらない。
【００１３】
当該システムの実施例によれば、熱伝導部材は、熱パイプであり、熱源と前記遠隔ヒートシンクとの間の温度の小さい差によって駆動される場合でさえ、大量の熱を輸送することができるといる利益を提供する。
【００１４】
当該システムの実施例によれば、前記共振器キャビティハウジングは、前記熱伝導部材を囲むように同軸で配されているパイプ共鳴管である。このことは、複数の利益を提供する。この配置は、前記熱源の熱管理のための当該システムの取付けのための有利な解決策を提供し、従って、１つの一体化された部分において前記熱伝導部材及び前記パイプ共鳴管を有する１つの組み合わされた熱伝導構造のみが、前記熱源及び前記ヒートシンクに利用されれば良い。更に、この配置は、スペースをとらない。同軸で配されている前記パイプ共振管は、環境からの遮蔽として振舞うので、前記熱伝導部材の周りに追加の保護を提供する。
【００１５】
当該システムの実施例によれば、前記ヒートシンクに向かって指向されている第２のオリフィスは、生成された空気の流れの副次的部分を前記ヒートシンクに向かって指向するように前記共振器キャビティハウジング内に配されている。従って、前記ヒートシンクは、更に冷却される。
【００１６】
前記システムの実施例によれば、前記合成ジェットアクチュエータは、それぞれ前記熱源及び前記ヒートシンクに向かって指向される前記空気の流れの副次的部分が音響位相にあるように、配される。
【００１７】
前記システムの実施例によれば、前記合成ジェットアクチュエータは、それぞれ前記熱源及び前記ヒートシンクに向かって指向される前記空気の流れの副次的部分が音響反位相にあるように、配される。音響反位相にあることは、当該システムにおける両方のコヒーレントなノイズ源（ノイズが、それぞれの前記オリフィスにおいて生成される）が互いに相殺するので、ノイズレベルに関して有利である。
【００１８】
当該システムの実施例によれば、熱伝導部材は、可撓性であり、前記熱源自体の位置決めの柔軟性を可能にする。可撓性熱伝導部材を前記熱源に設けることで、前記熱源は、所定の距離及び空間における角度において再位置決めされ、更に、回転可能に配されることが可能にされることができる。可撓性熱伝導部材は、前記熱源のリアルタイムな再位置決めを可能にする。
【００１９】
当該システムの実施例によれば、前記パイプ共鳴管は、可撓性である。可撓性の前記パイプ共鳴管は、前記熱源の最も近くに位置決めされている前記パイプ共鳴管の端部の周りにおける前記熱源を再位置決めに加えて又はこの再位置決めの代わりに、前記熱源と前記ヒートシンクとの間の熱接続の取付けの再位置決めを可能にする。
【００２０】
当該システムの実施例によれば、前記熱源は、柔軟な照明器具配置を提供すると共に、より高い出力照明器具に対してさえも非常に効率的な熱管理を提供する照明器具である。
【００２１】
本発明の第２の見地によれば、照明ユニットと、前記照明ユニットから離れて配されているヒートシンクと、前記照明ユニットと前記ヒートシンクとの間の熱連通を提供するように配されている熱伝導部材を有する熱輸送部材と、共振器キャビティハウジング及び空気の流れを生成するように少なくとも部分的に前記共振器キャビティハウジング内部に配されている振動部材を有する合成ジェットアクチュエータとを有する照明器具装置が、提供される。第１のオリフィスは、生成された前記空気の流れの少なくとも副次的部分を前記照明ユニットに向かって指向するように前記共振器キャビティ内に配されている。
【００２２】
従って、当該照明ユニットの冷却が、照明ユニットが前記熱伝導部材を介して熱的に接続されている遠隔ヒートシンクと、合成ジェットアクチュエータとを組み合わせることによって都合よく配されており、生成された空気の流れが、前記照明ユニットに向かって、即ち熱源に向かって指向される、照明器具装置が、提供される。前記照明器具装置の有利な点は、本発明の概念による熱管理のためのシステムに関して上述されたのと同じである。
【００２３】
当該装置の実施例によれば、前記熱伝導部材は熱パイプであり、前記共振器キャビティハウジングは、前記熱パイプを囲むように同軸で配されているパイプ共鳴管である。
【００２４】
当該システムの実施例によれば、前記熱伝導部材及び前記パイプ共鳴管は、可撓性のものである。
【００２５】
当該システムの実施例によれば、少なくとも１つの前記照明ユニットが、回転可能に配される。
【００２６】
当該システムの実施例によれば、当該システムは、照明の方向を調整する作動装置を更に有する。
【００２７】
当該システムの実施例によれば、第２のオリフィスは、前記空気の流れの少なくとも副次的部分を前記遠隔ヒートシンクに向かって指向するように前記共振器キャビティ内に前記配されている。
【００２８】
従って、本発明は、当該照明ユニットに対する前記ヒートシンク（例えば、前記ヒートシンク）の遠隔的な位置決めを可能にする熱管理を有する照明器具装置であって、即ち前記ヒートシンクが前記照明器具装置の実際の照明ユニットから離間されている、照明器具装置を提供する。
【００２９】
更に、増大された自由度が、可撓性の熱パイプを利用している実施例によって照明デザイナーに対して提供される。可撓性の熱パイプは、例えば、取付けを、前記照明器具が取り付けられることになっている実際の環境に適応させるために、前記照明ユニットが異なる位置に取り付けられるのを可能にする。
更に、照明ユニットのための取り付け位置が、例えば、換気の取付けの再構築により変化されなければならない場合、前記可撓性の熱パイプ配置は、有利である。可撓性熱パイプは、他の対象の周りに熱を輸送する熱接続を作ることも可能にする。
【００３０】
更に、前記可撓性熱パイプは、前記照明ユニットのリアルタイムな再配置を可能にし、このことは、例えば、演劇で使用されているようなスポット照明のための光追跡装置において有利である。
【００３１】
本発明によるシステムの代替的な実施例によれば、前記熱パイプは、ループ熱パイプである。
【００３２】
本発明によるシステムの代替的な実施例によれば、前記ヒートシンクは、更に、少なくとも１つの前記熱パイプ内部に流体本体を注入するためのポンプを有している。
【００３３】
本発明によるシステムの代替的な実施例によれば、前記パイプ共鳴管は、前記空気の流れの少なくとも一部を何らかの所定の方向に指向するように配されている少なくとも１つオリフィスを有して配されている。
【００３４】
本発明による装置の代替的な実施例によれば、前記照明ユニットは、少なくとも１つの発光ダイオードを有する。
【００３５】
本発明によるシステムの代替的な実施例によれば、複数の熱源（例えば、照明ユニット）が、１つの遠隔ヒートシンクに接続されている。
【００３６】
本発明のこれら及び他の見地、フィーチャ及び有利な点は、以下に記載される実施例を参照して、明らかになり、説明されるであろう。
【図面の簡単な説明】
【００３７】
【図１】本発明によるシステムの実施例の断面図を示していている模式的な図である。
【図２】本発明によるシステムの実施例の断面図を示していている模式的な図である。
【図３】本発明によるシステムの実施例の断面図を示していている模式的な図である。
【図４】本発明によるシステムの実施例の断面図を示していている模式的な図である。
【図５】本発明による照明器具装置の例示的な実施例の側面図である。
【発明を実施するための形態】
【００３８】
本発明は、以下で、添付図面を参照して詳細に記載されるであろう。
【００３９】
本発明による熱管理システムの例示的な実施例が、本明細書において、図１を参照して以下に記載される。熱源１１０によって生成される熱を除去する熱管理システム１００は、熱伝導部材１２０と、熱源１１０から離れて位置決めされているヒートシンク１３０と、合成ジェットアクチュエータ１４０とを有している。「熱源」なる語は、本明細書において使用されているように、熱源ハウジング（図示略）又は類似のものと組み合わせた実際の熱生成体を含んでいても良いということを述べなければならない。熱的接続は、熱伝導部材１２０によって熱源１１０とヒートシンク１３０との間に配される。従って、熱伝導部材１２０は、熱源１１０とヒートシンク１３０との間に熱連通を提供するように配される。熱伝導部材１２０は、好ましくは、高熱伝導率材料（例えば、銅、アルミニウム、マグネシウム又は合金）から構成されるが、熱パイプの場合、プラスチック（例えば、ブレーディングによる又はブレーディングによらないシリコーン）から作られることができる。
【００４０】
このヒートシンク１３０は、複数の異なる仕方において実現されることができる。最も一般的なヒートシンク装置は、しばしば、本体の冷却領域を増大させるために、フィンを設けられている金属本体を有している。ヒートシンクの大きさ及び重さは、冷却技術に関連付けられており、自由な対流の場合に、最大である。ヒートシンク１３０の冷却性能は、大幅に向上されることができる。このことは、典型的には、例えば、液冷却、一般的なファンを利用することによる強制対流、ペルチェ素子を含む熱電気冷却、及びこれらの何らかの組み合わせを利用することによってなされる。
【００４１】
更に、熱伝導部材１２０と組み合わされて空気の流れを生成し、前記空気の流れを熱源１１０に向かって指向する合成ジェットアクチュエータ１４０は、非常に高い効率の熱除去機能を当該システムに提供する。合成ジェットアクチュエータ１４０は、少なくとも、共振器キャビティハウジング１５０と振動部材１６０とを有する装置であり、この装置は、振動部材１６０によって共振器キャビティハウジング１５０内の空気の周期的な強制によって空気の流れ（合成ジェットとも称される）を生成する。この振動部材は、ピストン又は膜であっても良い。この振動部材１６０は、電磁気的に制御されるスピーカ膜であっても良い。最大性能を達成するために、印加される場の振動数は、制御されなければならない。
【００４２】
共振器キャビティハウジング１５０は、第１のオリフィス１７０を有して配されている。共振器キャビティハウジング１５０は、第１のオリフィス１７０が熱源１１０に向かって開かれており、これにより、前記振動部材によって生成された空気の流れの少なくとも一部を熱源１１０に向かって供給するように、配される。キャビティ１５０の形状及び大きさ、気体（空気）の粘性、振動部材１６０の振動の周波数、前記振動部材の位置決め、前記第１のオリフィスの位置決めは、所定の気流を達成するために整合される又は調整されなければならない因子である。
【００４３】
本発明によるシステムの実施例において、共振器キャビティハウジング１５０は、管のような形状をしており、パイプ共鳴管１５０を形成している。（しかしながら、前記共振器キャビティハウジングは、代替的には、望ましい形状に成形されることができる）。振動部材１６０は、パイプ共鳴管１５０内に配されている。パイプ共鳴管１５０は、構造の一部であり得て、例えば、前記熱源が照明器具である場合、パイプ共鳴管１５０は前記照明器具のための支持の一部であり得る。
【００４４】
当該システムの実施例によれば、熱伝導部材１２０は、熱パイプである。熱パイプは、一般に、作動流体及びハウジングを有する真空気密装置である。この熱パイプは、前記ハウジングの冷却凝縮器の部分と前記ハウジングの暖熱蒸発器の部分との間の温度差によって駆動される二相変化過程によって働く。前記熱パイプの前記ハウジングの前記暖熱蒸発器の部分における熱入力は、前記液体作動流体を気化させる。この蒸気は、次いで、前記ハウジングの冷却凝縮器の部分に向かって流れ、前記蒸気は凝縮し、そして、前記蒸気内に担持されている気化潜熱は、自身の潜熱を放出する。この凝縮液体は、毛管作用若しくは重力又はこれらの組み合わせによって、前記ハウジングの蒸発器の部分に戻る。
【００４５】
熱パイプは、ブレーディングによる又はブレーディングによらないプラスチックから構成されることができる。前記熱パイプは、一般に、管として成形される。しかしながら、特定の用途に適合するように、熱パイプは、環状及び平らな構造になるように作られる。作動流体として水を使用することは、一般的である。水は２０℃と２５０℃との間の温度の場合に適している。より低い温度に対して適切な他の作動流体は、メタノール、エタン、プロピレン、アンモニア、窒素、酸素及び水素である。高い温度の用途は、セシウム、カリウム、リチウム及びナトリウムのようなアルカリ金属を利用する。
【００４６】
本発明によるシステムの実施例において、図２において模式的に示されているように、熱源１１０とヒートシンク１３０との間の熱接続を提供している熱伝導部材１２０は、共振器キャビティハウジング２５０内に配されている。熱伝導部材１２０及び共振器キャビティハウジング２５０の形状は、ここでは、管状である。しかしながら、他の形状も可能であり、本発明の範囲内にあるとみなされる。
【００４７】
前記共振器キャビティハウジングは、ここでは、熱伝導部材１２０を囲むように同軸で配されているパイプ共鳴管２５０を形成している。共振器キャビティハウジング２５０と熱伝導部材１２０との間の比は、振動部材１６０のための共振器ボリュームを作るために熱伝導部材１２０の周りに十分な自由空間を提供するように、選択される。従って、共振器キャビティハウジング２５０及び熱伝導部材１２０は、熱管理システム２００の１つの一体化された部分が、２つの冷却機能を提供するように組み合わされる。熱伝導部材２１０及び合成ジェットアクチュエータ２５０を、当該システムの１つの一体化された部分に組み込むことにより、前記一体化された部分が、一方の端部における熱源１１０と他方の端部におけるヒートシンク１３０とに設けられるのみで良いので、当該システムの単純化された取付けが、達成される。パイプ共鳴管２５０及び熱伝導部材１２０は、必ずしも同軸で配される必要はないことを述べなければならない。
【００４８】
上述の実施例において、図２に示されたように、共振器キャビティ２５０は、パイプ共鳴管２５１の第１の端部に配される第１のオリフィス２６１を有するパイプ共鳴管である。第１の端部２５１は、熱源１１０において配されている。ここで、パイプ共鳴管２５０は、第１の端部２５１における小さい開口を形成している第１のオリフィス２６１を除いて、第１端部２５１において閉じられている端部を形成している。
【００４９】
代替的な実施例において、パイプ共鳴管２５０は、第１端部２５１において開放端部を形成している。従って、第１のオリフィス２６１は、パイプ共鳴管２５０の全開放端である。
【００５０】
第２のオリフィス２６２は、パイプ共鳴管２５２の第２の端部に配されている。第２のオリフィス２６２は、ヒートシンク１３０に向かって指向される。
【００５１】
ここで、更に、振動部材１６０は、パイプ共鳴管２５２の前記第２の端部に配される。振動部材１６０が作動するとき、能動的な冷却が、第１のオリフィス２６１において供給される気流に晒される熱源１１０と、第２のオリフィス２６２において供給される気流に晒される前記ヒートシンクとの両方において達成される。共振周波数及びパイプ共鳴管２５０の所定の長さの場合、第１のオリフィス２６１及び第２のオリフィス２６２に供給される気流は、音響位相にある。
【００５２】
図３において、システム３００の実施例が示されており、振動部材１６０は、パイプ共鳴管２５０の中央に配されているスピーカ装置である。スピーカ１６０の正面の円錐は、ヒートシンク１３０に向かって配向されており、スピーカ１６０の後方は熱源１１０に向かって配向されている。今、第１のオリフィス２６１において供給される気流と第２のオリフィス２６２において供給される気流とは、ノイズレベルに関して有益である音響反位相において脈動している。両方のコヒーレントなノイズ源が互いに相殺するからである。
【００５３】
今、振動部材１６０がスピーカ装置である当該実施例に関して続ける。前記スピーカ装置を、パイプ共鳴管２５０の内部又は部分的に外部に配する仕方は、多数存在する。しばしば、前記スピーカ装置の１つの部分は、例えば、前記スピーカ装置が前記パイプ共鳴管の直径より大きい場合、パイプ共鳴管２５０の外側に配される。
【００５４】
当該システムの代替的な実施例において、膜、即ちスピーカ１６０の円錐と同じ側は、パイプ共鳴管２５０内部に配されており、スピーカ１６０の後部は、自由空間又は閉じられているボリューム内に配されている。
【００５５】
当該システムの代替的な実施例において、パイプ共鳴管２５０の２つのオリフィス２６１、２６２を有する場合、２つの管が、前記パイプ共鳴管の両端から出ている。
【００５６】
当該システムの代替的な実施例において、前記熱伝導部材及び前記パイプ共鳴管の組み合わせは、折り畳まれる。
【００５７】
本発明によるシステムの実施例において、図４ａに示されているように、上述の実施例に関して記載されている基本的な構造を有すると、熱伝導部材１２０は、可撓性である。前記熱伝導部材の可撓性は、熱源１１０の取り付けに対する幾つかの自由度を提供する。１つの見地において、熱伝導部材１２０の可撓性は、パイプ共鳴管２５１の前記第１の端部からの距離Δに関しての熱源１１０の調整可能な位置を可能にし、更に、パイプ共鳴管２５０に対して熱源１１０が指向される角度における自由度も可能にする。
【００５８】
当該システムの実施例によれば、図４ｂに示されているように、パイプ共鳴管２５０は、可撓性である。この可撓性の共鳴管２５０は、熱源からの距離及び方向に対する前記熱源の位置決めの更なる自由度を提供する。
【００５９】
本発明の概念の第２の見地は、照明器具装置を提供することにある。例示的な実施例は、本発明による照明器具装置の側面図が提示されている図５において説明されている。熱源の熱管理の上述の発明の概念が、ここでは、照明器具装置５００において利用されている。この例示的な実施例において、照明器具装置５００は、複数のメインの熱源を有している。より詳細には、対応する熱輸送部材５４０を介して全てがヒートシンク５３０と熱的に接続されて配されている３つの照明ユニット５１０が、設けられている。（当該照明器具装置は、１つの照明ユニット５１０のみを有しても良いことが前提である。）
【００６０】
ヒートシンク５３０は、照明ユニット５１０から離れて配されている。ヒートシンク５３０における冷却効果は、完全に受動的なものであり得て、当該熱を、シンクを形成している支持構造５７０に対して拡散するのみであり、従って、フィンを備えていても良い。
【００６１】
代替的な実施例において、ヒートシンク５３０は、当該熱輸送を改善するためにポンプ（図示略）も有している。このことは、例えば、壁又は床取付けの場合において、有利である。
【００６２】
熱輸送部材５４０の拡大図が、図５ｂに示されている。各熱輸送部材５４０は、細長い熱伝導部材１２０であって、一方の端部において、対応する照明ユニット５１０と係合している又は対応する照明ユニット５１０に取り付けられており、対向する端部において、ヒートシンク５３０と係合している又はヒートシンク５３０に取り付けられている細長い熱伝導部材１２０と、合成ジェットアクチュエータ１４０とを有している。合成ジェットアクチュエータ１４０は、パイプ共鳴管２５０内に形成されている共振器キャビティハウジングと、前記共振器キャビティハウジング内部に配される振動部材１６０とを有する。更に、パイプ共鳴管２５０によって形成される共振器キャビティハウジング内に配されている第１のオリフィス２６１が設けられており、第１のオリフィス２６１は、少なくとも、振動部材１６０によって生成される空気の流れの副次的部分が、前記照明ユニットに向かって指向されるように配されている。熱伝導部材１２０は、熱パイプを利用して配されることができる。
【００６３】
パイプ共鳴管２５０は、熱伝導部材１２０を囲むように同軸で配されている。上述の熱管理システムにおけるような、当該照明器具装置の代替的な実施例は、ヒートシンク５３０に向かって生成された前記空気の流れの副次的部分を指向するように配されている第２のオリフィス２６２を有して配されることができる（図２参照）。従って、この実施例において、ヒートシンク５３０は、シンク及び強制的対流手段の組み合わせを有する。
【００６４】
前記照明器具装置のこの例示的な実施例において、照明ユニット５１０は、回転可能に配されている。照明ユニット５１０各々は、拡散器／蒸発器手段５１２に取り付けられている発光ダイオード（ＬＥＤ）５１１と、二次光学要素５１３（ここでは、放物線状のリフレクタを有している）とを有している。本発明の熱管理システムによって達成可能である適度な温度により、
高い出力のＬＥＤ照明の場合でさえも、光ガイドの形態における前記二次光学要素が、考えられる。照明ユニット５１０は、回転可能であり、軸５８１及び５８２を有するジョイント５８０を介して支持部材５７０に接続されている。照明ユニット５１０は、縦軸５８０の回りに回転されることができ、横軸５８１の回りに傾斜されることができる。ここで、照明ユニット５１０の調整は、手動で軸５８１、５８２の回りに調整される。しかしながら、この調整の作動装置５６０による電気制御は、前記照明器具装置において実施化されることができる。対応する照明ユニットの位置決めの自由度及び可能にされる照明方向も、この継手の個々の設計によって実際の照明用途に適合されることができる。
【００６５】
作動装置５６０は、照明器具装置５００の静止アセンブリの一部である。前記静止アセンブリは、作動装置５６０、ヒートシンク５３０、電気ドライバ５９０、及び支持構造５７０（例えば、前記静止アセンブリのハウジング）を有している。作動装置５６０は、照明ユニット５１０を、電気的に、機械的に及び熱的に制御するように配されることができる。
【００６６】
更に、照明ユニット５１０は、電気的接続５９５を介してランプドライバ５９０に電気的に接続されている。
【００６７】
本発明の概念による照明器具装置は、調節可能なプロジェクタ又はスポットライトシステムにおいて利用するのに適している。これらは、ＬＥＤシステム照明ユニットに、かなり適している。このようなＬＥＤベースの照明ユニットから除去されるべき損出電力は、５Ｗと１００Ｗとの間にあることができる。ハロゲン又はＨＩＤランプの代わりにＬＥＤを利用することによって、赤外線及び紫外線放射が回避されることができる。
【００６８】
照明器具装置５００の実施例において、熱伝導部材１２０は、照明ユニット５１０と静止アセンブリ（５６０、５３０、５７０、５９０）との間の所与の温度降下におけるより高い熱束を得るために、ループパイプを配するように、２つのパイプを有する熱パイプを有している。
【００６９】
代替的な実施例において、電気ドライバ５９０は、ヒートシンク５３０に熱的に接続されている。
【００７０】
添付請求項において規定されている本発明によるシステム及び装置の実施例が、上述された。これらは、単に非限定的な例としてみなされなければならない。当業者によって理解されるように、多くの変形及び代替的な実施例が、本発明の範囲内で可能である。
【００７１】
本出願の目的に関し、特に、添付請求項に関して、これ自体は当業者にとって明らかであるように、「有する」なる語は、他の要素又はステップを除外するものではなく、単数形の構成要素は、複数の構成要素を排除するものではないことに留意されたい。
【図１】
0005498490.tif 000002
【図２】
0005498490.tif 000003
【図３】
0005498490.tif 000004
【図４ａ】
0005498490.tif 000005
【図４ｂ】
0005498490.tif 000006
【図５ａ】
0005498490.tif 000007
【図５ｂ】
0005498490.tif 000008